(57)【要約】【課題】自動取引装置の操作画面を含む操作部周辺及び顧客の操作自体を監視カメラで撮影可能な自動取引装置の監視システムでありながら、顧客の重要機密情報が識別可能な映像は撮影しない若しくは判別不能とする自動取引装置の監視システムを提供することを目的とする。【解決手段】映像処理装置８は、自動取引装置４から送出される映像制御信号Ｓｃを受けると、監視カメラ６で撮影された映像データＳａ１に顧客の重要機密情報が認識できるような操作画面及び操作を撮影しない若しくは判別不能とする監視カメラの制御もしくは画像処理を行うため、監視センター１２に送られる映像記録データＳａ２に顧客の重要機密情報を識別可能なデータは含まれない。よって自動取引装置４の操作画面３１を含む操作部７周辺および顧客の操作自体を撮影することが可能となる。【選択図】図１
2008027167.tif 000002
【特許請求の範囲】
【請求項１】
金融機関の預金口座ファイルを管理するホストコンピュータに接続されたオンライン口座取引を行う自動取引装置と、少なくとも自動取引装置の操作画面を含む操作部周辺を撮影する監視カメラと、監視カメラで撮影した映像データを取得し映像記録データとして一時記録するとともに前記映像記録データから自動取引装置の異常を検出し少なくともアラーム信号を監視センターに送信する映像処理装置と、を有する自動取引装置の監視システムにおいて、前記映像処理装置は自動取引装置から出力される映像制御信号を受け、自動取引装置の操作及びその操作画面を撮影しない若しくは判別不能とする監視カメラの制御若しくは画像処理を施すことを特徴とする自動取引装置の監視システム。
【請求項２】
請求項１記載の自動取引装置の監視システムにおいて、前記映像処理装置は自動取引装置から出力される映像制御信号を受け、監視カメラの撮影箇所の一部または全部が撮影禁止となるように監視カメラを制御するようにしたことを特徴とする自動取引装置の監視システム。
【請求項３】
請求項１記載の自動取引装置の監視システムにおいて、前記映像処理装置は自動取引装置から出力される映像制御信号を受け、監視カメラの撮影位置・撮影範囲を制御するようにしたことを特徴とする自動取引装置の監視システム。
【請求項４】
請求項１記載の自動取引装置の監視システムにおいて、前記映像処理装置は自動取引装置から出力される映像制御信号を受け、監視カメラの焦点を制御するようにしたことを特徴とする自動取引装置の監視システム。
【請求項５】
請求項１記載の自動取引装置の監視システムにおいて、前記映像処理装置は自動取引装置から出力される映像制御信号を受け、監視カメラで撮影された映像データの全部または一部を、削除もしくは映像品質の低下もしくはマスキング処理を施す画像処理を行うようにしたことを特徴とする自動取引装置の監視システム。
【発明の詳細な説明】
【技術分野】
【０００１】
本発明は、オンラインで利用される金融機関の自動取引装置の監視システムに関するものである。
【背景技術】
【０００２】
近年、金融機関における自動取引装置の役割は、２４時間３６５日サービス、コンビニエンスストアでの口座取引、各種支払い／送金などの決済業務への適用など、益々拡充されてきている。
【０００３】
これに伴い、重機による自動取引装置の強引な破壊・持ち去りによる現金強奪事件や、顧客のキャッシュカード、クレジットカード等の磁気情報を有するカードを窃盗又は偽造などにより手に入れた上で、その暗証番号を何らかの手段により入手し、顧客の口座預金を盗み出すなどの事件が多発し、社会問題化している。
【０００４】
特に、自動取引装置に盗撮カメラを設置して、顧客が自動取引装置のカード挿入口兼レシート排出口にカードを挿入する際のカード表面にエンボスプリントされた口座番号及び、顧客が自動取引装置の操作画面に暗証番号を入力する際の操作を盗撮し、この盗撮画像を基に偽造カード作製するとともに暗証番号を割り出し、顧客の口座預金を盗み出すという新たな手口による犯罪行為が各地で発生している。
【０００５】
このような自動取引装置に関わる犯罪行為に対して、従来から、自動取引装置及びその周囲には、自動取引装置の正面から自動取引装置を操作する顧客等の顔を撮影したり、自動取引装置の斜め上方から顧客等が自動取引装置に行う操作を撮影したりする監視カメラが設置されている。そして、不正な預金引き出しなどの事件や事故があった場合、事件発生時の状況を確認するための手段として、この監視カメラの撮影画像が使用されてきた。このような監視カメラを備えた自動取引装置の一つとして、下記［特許文献１］に開示された発明では、監視カメラによる顧客等の顔写真に加え、使用したカードの画像及び取引内容が一括した合成画像として記録されるようになっており、事件発生時の状況確認がより効率良く行うことができる。
【０００６】
【特許文献１】特開平１０−６３９１７号公報
【発明の開示】
【発明が解決しようとする課題】
【０００７】
［特許文献１］のような監視システムは、実際に事件や事故が起きた場合の状況確認には必要不可欠なもので、これ自体ある程度の犯罪の抑止力となっているものの、不正な預金引き出しなどの犯罪を未然に防止することは難しい。
【０００８】
このため、自動取引装置を有する金融機関にとって、これらの犯罪行為を防止し、より安全な口座取引システムを構築することが緊急課題となっている。特に、前述の盗撮カメラを用いた不正な預金引き出し事件においては、カメラ技術の進歩に伴い盗撮カメラが益々小型化・高性能化していく中で、自動取引装置に設置された盗撮カメラを迅速に発見、撤去することが、事件発生を未然に防止する有効な手段となる。
【０００９】
盗撮カメラを迅速に発見する一つの方法として、盗撮カメラが撮影した画像データを別の場所に設置された録画装置に無線で送信する際の無線周波数を検知して、アラーム信号を発する監視システム等の検討が行われている。しかしながら、最近では携帯電話などの各種の無線装置が普及しており、これらの無線装置が発する電波と盗撮カメラが発する電波とを完全に判別することが技術的に難しいため、誤報の要因となりやすく、運用上に支障をきたすことが多くなるため、実用的でない。
【００１０】
また、盗撮カメラが設置されるような箇所を撮影可能となるように監視カメラを設置し、従来の監視カメラの機能を有しつつ、自動取引装置に設置される盗撮カメラ等の異物の有無を監視できるような監視システムを構築すれば、上記の問題を解決するための有効な手段になると考えられる。しかしながら、盗撮カメラが設置されるような箇所を撮影可能となるように監視カメラを設置した場合、当然ながら顧客が自動取引装置の操作画面に暗証番号を入力する際の操作や、操作画面上に表示される預金残高等の顧客の重要機密情報も監視カメラに撮影されてしまうこととなる。このような顧客の重要機密情報を勝手に撮影することは、如何にセキュリティの向上を目的とするとはいえ、到底許されるものではない。このため、監視カメラは自動取引装置の操作画面及び操作部の周辺などを撮影することができず、盗撮カメラ等の異物の有無や顧客の異常操作、顧客を装った人物の不正操作等を十分に監視することができないという問題点があった。
【００１１】
また、仮に顧客の理解が得られたとしても、顧客の重要機密情報が撮影された映像は厳重に保管管理される必要があることに加え、監視システム内の映像送信信号等の盗聴対策も常に完全なものに維持する必要がある。このような、映像データの保管管理や盗聴対策等の管理対策には莫大なコストがかかることに加え、自動取引装置の管理を第三者に委託するといった効率的な運用も、顧客の重要機密情報保持の観点から難しいという問題点があった。
【００１２】
本発明は上記事情を鑑みてなされたものであり、自動取引装置の操作画面を含む操作部周辺及び顧客の操作自体を監視カメラで撮影し、盗撮カメラなどの異物や、顧客の異常操作等を検知することが可能でかつ、顧客の重要機密情報が識別可能な映像は撮影しない若しくは判別不能とするような自動取引装置の監視システムを提供することを目的とする。
【課題を解決するための手段】
【００１３】
本発明は、金融機関の預金口座ファイル２を管理するホストコンピュータ１に接続されたオンライン口座取引を行う自動取引装置４と、少なくとも自動取引装置４の操作画面３１を含む操作部７周辺を撮影する監視カメラ６と、監視カメラ６で撮影した映像データＳａ１を取得し映像記録データＳａ２として一時記録するとともに前記映像記録データＳａ２から自動取引装置４の異常を検出し少なくともアラーム信号Ｓｂを監視センター１２に送信する映像処理装置８と、を有する自動取引装置の監視システムにおいて、前記映像処理装置８は自動取引装置４から出力される映像制御信号Ｓｃを受け、自動取引装置４の操作及びその操作画面３１を撮影しない若しくは判別不能とする監視カメラ６の制御若しくは画像処理を施すことを特徴とする自動取引装置の監視システムを提供することにより、上記課題を解決する。
【００１４】
また、上記の自動取引装置の監視システムにおいて、前記映像処理装置８は自動取引装置４から出力される映像制御信号Ｓｃを受け、監視カメラ６の撮影箇所の一部または全部が撮影禁止となるように監視カメラ６を制御するようにしたことを特徴とする自動取引装置の監視システムを提供することにより、上記課題を解決する。
【００１５】
また、前記の自動取引装置の監視システムにおいて、前記映像処理装置８は自動取引装置４から出力される映像制御信号Ｓｃを受け、監視カメラ６の撮影位置・撮影範囲を制御するようにしたことを特徴とする自動取引装置の監視システムを提供することにより、上記課題を解決する。
【００１６】
また、前記の自動取引装置の監視システムにおいて、前記映像処理装置８は自動取引装置４から出力される映像制御信号Ｓｃを受け、監視カメラ６の焦点を制御するようにしたことを特徴とする自動取引装置の監視システムを提供することにより、上記課題を解決する。
【００１７】
また、前記の自動取引装置の監視システムにおいて、前記映像処理装置８は自動取引装置４から出力される映像制御信号Ｓｃを受け、監視カメラ６で撮影された映像データＳａ１の全部または一部を、削除もしくは映像品質の低下もしくはマスキング処理を施す画像処理を行うようにしたことを特徴とする自動取引装置の監視システムを提供することにより、上記課題を解決する。
【発明の効果】
【００１８】
本発明に係る自動取引装置の監視システムは、上記の構成により、
（１）監視カメラで撮影される映像データから得られる映像記録データに顧客の重要機密情報が識別可能なデータは含まれないため、監視カメラにより自動取引装置の操作部周辺、顧客の操作自体、および顧客の重要情報が含まれない操作画面を撮影することが可能となる。このため、盗撮カメラなどの異物の検知が可能なことに加え、顧客の異常操作、顧客を装った人物の不正操作等の監視が十分にできることとなり、顧客に対し、より安全、安心な自動取引装置の運用・サービスを提供することができる。
（２）監視カメラで撮影される映像データから得られる映像記録データに顧客の重要機密情報が識別可能なデータは含まれないため、監視システムの管理対策等に莫大なコストがかからず、金融機関および自動取引装置の管理を委託された企業にとって極めて効率的かつ安全な運用が可能となる。
【発明を実施するための最良の形態】
【００１９】
本発明に係る自動取引装置の監視システムの実施の形態について図面に基づいて説明する。図１は本発明に係る自動取引装置の監視システム及び自動取引装置全体のシステムを示す概略構成図である。図２は本発明に係る自動取引装置概要を示すブロック図である。図３は自動取引装置の異物検知領域を説明する図である。
【００２０】
図１は、本発明に係る自動取引装置の監視システム及び自動取引装置全体のシステムを示す概略構成図である。金融機関等のホストコンピュータ１は、預金口座ファイル２を管理するとともに、通信ケーブル２１により金融機関等の専用のネットワーク３を介して複数の自動取引装置４と接続されている。これにより、ホストコンピュータ１は自動取引装置４とオンラインで各種の口座取引を行うことが可能となる。自動取引装置４は多くの場合、堅牢な専用の建築物であるブース５内に設置されることで安全に管理されるとともに、物理的な破壊行為から保護される。ブース５の天井部分には、監視カメラ６が設置され、自動取引装置４の操作画面３１を含む操作部７とその周辺及び、顧客の操作状況を撮影する。監視カメラ６により撮影された映像データＳａ１は、映像ケーブル９により映像処理装置８に送られ、一時的に映像処理装置８内部に映像記録データＳａ２として記録される。尚、映像記録データＳａ２には必要に応じて、映像処理装置８にインストールされている画像処理プログラムによって後述する画像処理が施される。さらに映像処理装置８にインストールされている画像処理プログラムは、自動取引装置４の操作部７およびその周辺に所定の時間放置されている盗撮カメラ等の異物を検知した場合、もしくは、カードや現金の取り忘れ、異物挿入などの顧客の異常操作を検出した場合、アラーム信号Ｓｂ及び一時記録された映像記録データＳａ２を監視システムネットワーク１１を経由して監視センター１２に送信する。監視センター１２はアラーム信号Ｓｂが受信されると、アラーム信号Ｓｂと同時に送信されてくるアラーム信号Ｓｂ送信前後の一定時間の映像記録データＳａ２の映像を監視センター１２のネットワーク方式変換装置１３を経由して監視センター１２の構内ネットワーク１４に接続された監視端末等の表示部１５に表示し、異常の有無を目視により確実に確認する。そして、目視により何らかの異常が確認できた場合には、所定の機関に連絡する等の然るべき処置がなされることとなる。またこのとき、必要に応じて映像記録データＳａ２を構内ネットワーク１４を介して映像サーバ１６に記録させる。
【００２１】
なお、監視センター１２のシステムの運用方法によっては、映像記録データＳａ２は、アラーム信号Ｓｂの発生の有無に関わらず監視センター１２に送信することも可能である。その場合、監視センター１２に送信される映像記録データＳａ２は一旦映像サーバ１６に逐次記録され、アラーム信号Ｓｂの受信を受けて該当する自動取引装置４の映像記録データＳａ２を監視端末等の表示部１５に呼び出してアラーム信号Ｓｂ発生時の状況を確認することができる。このような運用を行うと、映像記録データＳａ２の確認を行うトリガーとなるアラーム信号は、映像処理装置８から出力されるものだけでなく、自動取引装置４自体から出力され監視センター１２に送られるアラーム信号を受けた場合でも、映像記録データＳａ２の確認を行うことができるので、さらに効果的な監視センター１２のシステムを構築することが可能になる。
【００２２】
特に本発明の自動取引装置の監視システムにおいては、映像処理装置８が信号ケーブル１０を介して自動取引装置４から送出される映像制御信号Ｓｃを受けた場合、自動取引装置４の操作画面３１に表示される操作画面、及び顧客の操作を、撮影しない若しくは判別不能とするように、監視カメラ６の制御若しくは映像データＳａ１に画像処理を施すことを大きな特徴としている。
【００２３】
尚、自動取引装置４からの映像制御信号Ｓｃは、例えば自動取引装置４が暗証番号の入力画面、暗証番号の変更画面など暗証番号を顧客が押下する画面、および口座残高などの顧客の重要機密情報に関与する特定の画面を操作画面３１が表示する際、及び顧客の重要機密情報が認識できるような操作が行われる際に送出されるべく予め設定されることが好ましい。
【００２４】
また、自動取引装置４からの映像制御信号Ｓｃを常時出しておき、常時上記の監視カメラ６の制御もしくは映像データＳａ１の画像処理が施されるような構成とすることも可能である。また更に、顧客等が自動取引装置４に近接した時や、顧客が自動取引装置４を操作する時に映像制御信号Ｓｃを送出し、顧客の自動取引装置４への取引操作の終了とともに映像制御信号Ｓｃの送出を停止するようにしても良い。尚、この場合には、操作画面３１に表示される顧客の重要機密情報に関与する特定の操作画面、及び顧客の重要機密情報が認識できるような操作に加え、顧客の重要機密情報に関与しない操作画面及び操作をも撮影しない若しくは判別不能となるように、監視カメラ６の制御若しくは映像データＳａ１に画像処理が施される。
【００２５】
映像制御信号Ｓｃを受けたときの映像処理装置８による監視カメラ６の制御としては、監視カメラ６が特定の操作及びその操作画面３１を撮影できないように、監視カメラ６の一部もしくは全部の撮影を禁止する制御の他に、監視カメラ６の撮影位置・撮影範囲を変化させる制御、また、監視カメラ６が特定の操作及びその操作画面３１を判別できないように監視カメラ６の焦点をずらす制御などがある。
【００２６】
尚、これらの映像処理装置８による監視カメラ６の制御は、有線、もしくは無線によって行われる。また、監視カメラ６には必要に応じて、映像処理装置８からの制御により可動する絞り、遮蔽板、もしくは監視カメラ６の方向を変化させるためのモータ等の駆動手段等が設けられる。
【００２７】
また、映像制御信号Ｓｃを受けたときに、映像処理装置８が特定の操作及びその操作画面３１が撮影された映像データＳａ１の全部もしくは一部に画像処理を施しこれを映像記録データＳａ２として、特定の操作及びその操作画面３１等が判別不能とするようにしても良い。このときの画像処理としては、映像データＳａ１の削除、画質を粗くするなどの映像品質の低下、又はマスキング処理等が挙げられる。
【００２８】
図２は、自動取引装置の概要を示すブロック図である。自動取引装置４は、制御部２２及び、取引すべき口座を確認するためのカードを読み取るカードリーダ／ライタ部２６、取引結果をジャーナルとして記録するとともにレシートとして印字し顧客に放出するレシート印字部２７、口座の取引履歴を通帳に印字記録する通帳印字部２８、顧客によって挿入された紙幣を識別して処理し、また、顧客から指示があった支払い用の紙幣を計数して放出する紙幣入出金機２９、顧客によって挿入された硬貨を識別して処理し、また、顧客から指示があった支払い用の硬貨を計数して放出する硬貨入出金機３０、顧客の操作案内表示をするとともに顧客が自動取引装置４の操作を指示するボタンが表示される画面表示パネルと、画面表示パネルに設けられたタッチセンサーによりデータの入力が可能となる入力機構からなる操作画面３１、等の各種機器類を有している。
【００２９】
制御部２２にはコンピュータが内蔵されており、このコンピュータにインストールされている専用のプログラムによって、接続ケーブル２４を介して上記の各種機器類を有機的に制御し、顧客自身による取引操作を効果的に行えるようにしている。尚、制御部２２による各種機器類の制御は、接続ケーブル２４を用いずに無線制御により行われる場合もある。これら自動取引装置４の制御部２２及び各種機器類には、電源装置２３から図示しない電源ケーブルを介して電源が供給される。更に、自動取引装置４の背面には自動取引装置４の運用や運用状況確認、保守を行うための係員操作部２５が設けられている。
【００３０】
自動取引装置４の上方には、自動取引装置４の操作画面３１を含む操作部７とその周辺及び、顧客の操作状況を撮影する監視カメラ６が設置されている。前述のように、監視カメラ６により撮影された映像データＳａ１は映像ケーブル９により映像処理装置８に送られ映像記録データＳａ２として一時記録される。尚、必要であれば映像記録データＳａ２には画像処理等が施される。映像処理装置８が映像記録データＳａ２から異常を検知した場合には、アラーム信号Ｓｂ及び映像記録データＳａ２が監視センター１２に送信される。
【００３１】
また、制御部２２は通信ケーブル２１により接続された金融機関等の専用のネットワーク３を介して、金融機関のホストコンピュータ１とオンラインで通信をしながら、操作画面３１に取引に応じた画面を表示する。これによって顧客の操作を誘導し、顧客自身によって自動取引装置４の操作や取引の確認を行わせる。この顧客による一連の操作の中で、暗証番号の入力画面、暗証番号の変更画面など暗証番号を顧客が押下する画面、および口座残高などの顧客の重要な機密情報を示す画面が操作画面３１に表示される場合が生じる。これらの画面が操作画面３１に表示される場合には、自動取引装置４の制御部２２は信号ケーブル１０を介して映像処理装置８へ映像制御信号Ｓｃを送出する。映像処理装置８は映像制御信号Ｓｃを受けると監視カメラ６の制御もしくは映像データＳａ１の画像処理を行い映像記録データＳａ２として一時記録し、顧客の重要な機密情報を撮影しないもしくは判別不能とする。
【００３２】
次に、図３（ａ）に、自動取引装置を正面から見た図を示す。また、図３（ｂ）に、自動取引装置を上方から見た図を示す。自動取引装置４の操作部７及びその周辺には自動取引装置４の運用状況を表示する表示板４３、通帳印字部２８に通帳を取り込むと共に印字後の通帳を排出するための通帳挿入口４４、カードリーダ／ライタ部２６にカードを取り込むと共に処理後のカードとレシート印字部２７で印字されたレシートを排出するカード挿入口兼レシート排出口４５、紙幣入出金機２９と連動して紙幣の取り込み及び排出を行う紙幣入出金口４６、硬貨入出金機３０と連動して硬貨の取り込み及び排出を行う硬貨入出金口４７、及び操作画面３１等が配置されている。また、自動取引装置４の両側壁には仕切り板４１が設けられ、顧客の操作を隣接する自動取引装置の顧客の視線から遮蔽する。また、自動取引装置４の正面上方にはハーフミラー４２が設置され、顧客が自動取引装置４を操作しているとき、顧客自身が後方からの第三者による覗き見などを確認することができる。尚、ハーフミラー４２の後方には顧客から見えないように、顧客自身の顔を撮影するカメラが設置されていることが多い。
【００３３】
ここで、盗撮カメラは挿入されるカードの表面に記録されたエンボス文字（口座番号）を映し出すために、カード挿入口兼レシート排出口４５より上のエリアで、かつ操作画面３１が撮影できるような図３（ｂ）中の点線で囲まれた領域に設置されることが想定される。このため、監視カメラ６は、図３（ａ）（ｂ）中の点線で囲まれた領域を撮影できるような位置、角度で設置される。そして、映像処理装置８は、監視カメラ６が撮影した映像データＳａのうち主に図３（ａ）（ｂ）中の点線で囲まれた領域に定義された複数の点において、盗撮カメラ等の異物により通常はあり得ない映像の変化が一定時間生じた場合に、異物が存在するものとして検知しアラーム信号Ｓｂ等を監視センター１２へ送信する。
【００３４】
尚、上記のような位置に監視カメラ６を設置した場合、監視カメラ６は操作画面３１をも撮影することとなるが、前述のように顧客の重要機密情報に係わる画面が操作画面３１に表示されるときなどには映像制御信号Ｓｃが送出され、映像処理装置８は顧客の重要な機密情報を撮影しないもしくは判別不能とするように監視カメラ６の制御もしくは映像データＳａ１の画像処理を行った後、映像処理装置８へ一時記録して、監視センター１２に映像記録データＳａ２として送出するため、映像記録データＳａ２に顧客の重要機密情報が識別可能な映像データは含まれることはない。
【００３５】
以上のことから、本発明の自動取引装置の監視システムによれば、監視センター１２に送出される映像記録データＳａ２に顧客の重要機密情報が識別可能な映像データは含まれることはなく、よって自動取引装置４の操作部７周辺、顧客の操作自体、および顧客の重要な機密情報が含まれない操作画面３１を撮影することが可能となる。このため、盗撮カメラなどの異物の検知が可能となることに加え、顧客の異常操作、顧客を装った人物の不正行為の監視が十分にできることとなり、顧客に対し、より安全、安心な自動取引装置の運用・サービスを提供することができる。
【００３６】
また、本発明の自動取引装置の監視システムによれば、映像記録データＳａ２の保管管理、自動取引装置の監視システムの盗聴対策などの管理対策に莫大なコストがかからず、金融機関および自動取引装置の管理を委託された企業にとって極めて効率的かつ安全な運用が可能となる。
【００３７】
尚、本例においては、監視カメラ６を自動取引装置４の上方のブース５の天井に設置する例を用いたが、特にこれに限定することはなく、自動取引装置４の顧客の操作および操作画面３１を含む操作部７周辺を撮影できるような位置であれば、自動取引装置４の上部周辺に監視カメラ６を設置しても良い他、監視カメラ６を任意の位置に設置し、ミラーなどを介して間接的に自動取引装置４の操作部７周辺を撮影できるような構成としてもよい。また、監視センター１２は警備関係機関、金融機関、その他の関係機関等に設置されるものとされ、これら複数の関係機関の複数の監視センター１２に同時にアラーム信号Ｓｂ等が送信される監視システムの構成を取ることもできる。更に、本例においては異物の有無を検知する機能を有する自動取引装置の監視システムとしたが、特にこれに限定する必要はなく、通常の自動取引装置の監視システムや、その他の異常を検知する機能を有する監視システムにも適用することが可能な他、本発明は本発明の要旨を逸脱しない範囲で変更して実施することができる。
【図面の簡単な説明】
【００３８】
【図１】本発明に係る自動取引装置の監視システム及び自動取引装置全体のシステムを示す概略構成図である。
【図２】本発明に係る自動取引装置の概要を示すブロック図である。
【図３】自動取引装置の異物検知領域を説明する図である。
【符号の説明】
【００３９】
４    自動取引装置
６    監視カメラ
７    操作部
８    映像処理装置
１２    監視センター
３１    操作画面
Ｓａ１    映像データ
Ｓａ２    映像記録データ
Ｓｂ    アラーム信号
Ｓｃ    映像制御信号
【図１】
2008027167.tif 000003
【図２】
2008027167.tif 000004
【図３】
2008027167.tif 000005